(57)【要約】【課題】意匠性を向上させることができる車両用表示装置を提供すること。【解決手段】車両用表示装置１は、画像表示領域１０に配置された環状の加飾部材と、加飾部材に対して光を照射する光源と、画像表示領域に虚像２４，２５，３２，３３を表示させる虚像表示装置と、を備え、虚像表示装置は、光源が消灯した状態で加飾部材を模した虚像３２，３３を加飾部材と重畳する位置からアニメーションさせる第一アニメーション表示、または、光源が消灯した状態で加飾部材を模した虚像を加飾部材と重畳する位置までアニメーションさせる第二アニメーション表示を行う。【選択図】図８
2018205202.tif 000002
【特許請求の範囲】
【請求項１】
画像表示領域に配置された環状の加飾部材と、
前記加飾部材に対して光を照射する光源と、
前記画像表示領域に虚像を表示させる虚像表示装置と、
を備え、
前記虚像表示装置は、前記光源が消灯した状態で前記加飾部材を模した虚像を前記加飾部材と重畳する位置からアニメーションさせる第一アニメーション表示、および前記光源が消灯した状態で前記加飾部材を模した虚像を前記加飾部材と重畳する位置までアニメーションさせる第二アニメーション表示、の少なくとも一方のアニメーション表示を行う
ことを特徴とする車両用表示装置。
【請求項２】
前記虚像表示装置は、前記第一アニメーション表示を行う場合、前記光源が消灯されるよりも前に前記加飾部材を模した虚像を前記加飾部材と重畳して表示させる
請求項１に記載の車両用表示装置。
【請求項３】
前記虚像表示装置は、前記第二アニメーション表示を行う場合、少なくとも前記光源が点灯されるまで前記加飾部材を模した虚像を前記加飾部材と重畳して表示させる
請求項１に記載の車両用表示装置。
【請求項４】
前記第一アニメーション表示が行われる場合に、前記光源が消灯されるよりも前に表示される虚像は、前記光源から照射される光によるコントラストが生じた前記加飾部材を模した虚像である
請求項２に記載の車両用表示装置。
【請求項５】
前記虚像表示装置は、前記第二アニメーション表示を行う場合、前記光源が点灯されるよりも前に、前記光源から照射される光によるコントラストが生じた前記加飾部材を模した虚像を前記加飾部材と重畳して表示させる
請求項３に記載の車両用表示装置。
【発明の詳細な説明】
【技術分野】
【０００１】
本発明は、車両用表示装置に関する。
【背景技術】
【０００２】
従来、加飾部材に対して光を照射する光源を備えた車両用表示装置がある。特許文献１には、装飾部材に対して光を照射する光源と、車両の運転者と装飾部材との間に虚像を表示する虚像発生手段と、を有する車両用表示装置の技術が開示されている。特許文献１の光源は、装飾部材よりも運転者側に配置されるとともに、虚像発生手段が虚像を表示している状態において点灯状態および消灯状態を相互に移行可能である。
【先行技術文献】
【特許文献】
【０００３】
【特許文献１】特開２０１６−１１８６３号公報
【発明の概要】
【発明が解決しようとする課題】
【０００４】
車両用表示装置の意匠性を向上することについて、なお改良の余地が残されている。例えば、光源および虚像を有効に活用して演出効果を高めることができれば、意匠性を向上させることが可能である。
【０００５】
本発明の目的は、意匠性を向上させることができる車両用表示装置を提供することである。
【課題を解決するための手段】
【０００６】
本発明の車両用表示装置は、画像表示領域に配置された環状の加飾部材と、前記加飾部材に対して光を照射する光源と、前記画像表示領域に虚像を表示させる虚像表示装置と、を備え、前記虚像表示装置は、前記光源が消灯した状態で前記加飾部材を模した虚像を前記加飾部材と重畳する位置からアニメーションさせる第一アニメーション表示、および前記光源が消灯した状態で前記加飾部材を模した虚像を前記加飾部材と重畳する位置までアニメーションさせる第二アニメーション表示、の少なくとも一方のアニメーション表示を行うことを特徴とする。
【発明の効果】
【０００７】
本発明に係る車両用表示装置は、光源が消灯した状態で加飾部材を模した虚像を加飾部材と重畳する位置からアニメーションさせる第一アニメーション表示、および光源が消灯した状態で加飾部材を模した虚像を加飾部材と重畳する位置までアニメーションさせる第二アニメーション表示、の少なくとも一方のアニメーション表示を行う。本発明に係る車両用表示装置によれば、第一アニメーション表示や第二アニメーション表示により、加飾部材の動作を模した様々な演出を行うことができる。よって、本発明に係る車両用表示装置は、意匠性を向上させることができるという効果を奏する。
【図面の簡単な説明】
【０００８】
【図１】図１は、実施形態に係る車両用表示装置の正面図である。
【図２】図２は、実施形態に係る車両用表示装置の側面図である。
【図３】図３は、実施形態に係る車両用表示装置の内部構成を示す側面図である。
【図４】図４は、実施形態の車両用表示装置による表示態様の一例を示す図である。
【図５】図５は、点灯時の態様の装飾画像を示す図である。
【図６】図６は、消灯時の態様の装飾画像を示す図である。
【図７】図７は、装飾画像が加飾部材に重畳して表示された状態の図である。
【図８】図８は、装飾画像のスライドアニメーションを説明する図である。
【図９】図９は、装飾画像が加飾部材に重畳して表示された状態の図である。
【図１０】図１０は、加飾部材に重畳された点灯時の態様の装飾画像を示す図である。
【図１１】図１１は、表示モードの変更開始前の装飾画像を示す図である。
【図１２】図１２は、加飾部材に重畳された消灯時の態様の装飾画像を示す図である。
【図１３】図１３は、傾倒アニメーションの初期において表示される装飾画像を示す図である。
【図１４】図１４は、傾倒アニメーションの後期において表示される装飾画像を示す図である。
【図１５】図１５は、傾倒アニメーションの完了時に表示される装飾画像を示す図である。
【図１６】図１６は、消失アニメーションが開始される前の装飾画像を示す図である。
【図１７】図１７は、消失アニメーションの中期における装飾画像を示す図である。
【図１８】図１８は、フェードイン表示された装飾画像を示す図である。
【図１９】図１９は、回転アニメーションが開始される前の装飾画像を示す図である。
【図２０】図２０は、加飾部材に重畳された消灯時の態様の装飾画像を示す図である。
【図２１】図２１は、装飾画像の回転アニメーションを示す図である。
【図２２】図２２は、回転を一時的に停止した装飾画像を示す図である。
【図２３】図２３は、回転を再開した装飾画像を示す図である。
【図２４】図２４は、加飾部材に重畳された消灯時の態様の装飾画像を示す図である。
【図２５】図２５は、加飾部材に重畳された点灯時の態様の装飾画像を示す図である。
【発明を実施するための形態】
【０００９】
以下に、本発明の実施形態に係る車両用表示装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１０】
［実施形態］
図１から図２５を参照して、実施形態について説明する。本実施形態は、車両用表示装置に関する。図１は、実施形態に係る車両用表示装置の正面図、図２は、実施形態に係る車両用表示装置の側面図、図３は、実施形態に係る車両用表示装置の内部構成を示す側面図、図４は、実施形態の車両用表示装置による表示態様の一例を示す図、図５は、点灯時の態様の装飾画像を示す図、図６は、消灯時の態様の装飾画像を示す図、図７は、装飾画像が加飾部材に重畳して表示された状態の図、図８は、装飾画像のスライドアニメーションを説明する図、図９は、装飾画像が加飾部材に重畳して表示された状態の図、図１０は、加飾部材に重畳された点灯時の態様の装飾画像を示す図である。
【００１１】
本実施形態の車両用表示装置１は、自動車等の車両に搭載される。図１から図３に示すように、本実施形態の車両用表示装置１は、収容部１００と、枠部材５と、虚像表示装置６と、加飾部材２と、光源９と、を有する。収容部１００は、一端が閉塞された筒状の部材である。収容部１００は、金属や合成樹脂等によって形成されている。収容部１００は、車両の運転席に対して車両前後方向の前方に配置される。収容部１００は、例えば、インストルメントパネルの開口部に配置される。収容部１００は、正面視した場合の形状が台形の部材である。
【００１２】
収容部１００は、運転席と対向する開口部１０１を有する。車両用表示装置１の説明において、「奥行き方向Ｘ」は、収容部１００の軸方向を示す。奥行き方向Ｘは、典型的には車両前後方向である。奥行き方向Ｘにおいて、「前面側」は運転席側であり、典型的には車両後側である。奥行き方向Ｘにおいて、「背面側」は運転席側とは反対側であり、典型的には車両前側である。開口部１０１は、収容部１００の前面に設けられている。また、「高さ方向Ｚ」は、車両に配置された状態における収容部１００の高さ方向であり、典型的には鉛直方向や車両上下方向である。幅方向Ｙは、奥行き方向Ｘおよび高さ方向Ｚと直交する方向であり、典型的には車幅方向である。幅方向Ｙにおいて、「左側」は運転席から見た場合の左側を示し、典型的には車両左側である。幅方向Ｙにおいて、「右側」は運転席から見た場合の右側を示し、典型的には車両右側である。
【００１３】
開口部１０１は、幅方向Ｙの長さが高さ方向Ｚの長さよりも大きい。開口部１０１には、枠部材５が配置されている。枠部材５は、奥行き方向Ｘにおいて運転席と対向している。枠部材５は、例えば、金属や合成樹脂等によって形成されている。枠部材５は、第一枠部５１、第二枠部５２、および第三枠部５３を有する。三つの枠部５１，５２，５３は、一体に形成されていてもよい。枠部材５は、収容部１００によって支持されている。
【００１４】
第一枠部５１の形状は、円環形状である。第一枠部５１は、開口部１０１における幅方向Ｙの中央に配置されている。また、第一枠部５１は、開口部１０１における高さ方向Ｚの中央に配置されている。第一枠部５１の直径は、開口部１０１の高さ方向Ｚの幅よりもわずかに小さい。
【００１５】
第二枠部５２は、第一枠部５１に対して幅方向Ｙの左側に配置されている。第二枠部５２は、第一枠部５１の背面側に、かつ第一枠部５１の近傍に配置されている。第二枠部５２の形状は、Ｕ字を右側に倒した形状、またはＣ字形状である。第二枠部５２は、切れ目部分を第一枠部５１に向けている。第二枠部５２の右端部は、第一枠部５１の背面側に隠されている。
【００１６】
第三枠部５３は、第一枠部５１に対して幅方向Ｙの右側に配置されている。第三枠部５３は、第一枠部５１の背面側に、かつ第一枠部５１の近傍に配置されている。第三枠部５３の形状は、Ｕ字を左側に倒した形状、またはＣ字を左右反転させた形状である。第三枠部５３は、切れ目部分を第一枠部５１に向けている。第三枠部５３の左端部は、第一枠部５１の背面側に隠されている。
【００１７】
加飾部材２は、枠部材５よりも奥行き方向Ｘの背面側に配置されている。本実施形態の加飾部材２は、収容部１００の内部空間における奥部に配置されている。加飾部材２は、例えば、合成樹脂や金属で形成される。本実施形態では、加飾部材２がアルミニウム等の金属で形成されている。加飾部材２の色は、例えば、シルバーや白色等の淡色である。加飾部材２が樹脂で形成されている場合、加飾部材２の表面に淡色のメッキが施されてもよい。加飾部材２の表面には、鏡面加工やつや消し加工がなされてもよい。本実施形態の加飾部材２の形状は、円環形状である。
【００１８】
加飾部材２の左側には、左側メータ枠３が配置されている。左側メータ枠３は、車両のアイポイントから見た場合に第一枠部５１の左側に位置している。また、加飾部材２の右側には、右側メータ枠４が配置されている。右側メータ枠４は、車両のアイポイントから見た場合に第一枠部５１の右側に位置している。左側メータ枠３および右側メータ枠４は、枠部材５よりも奥行き方向Ｘの背面側に配置されている。本実施形態のメータ枠３，４は、収容部１００の内部空間における奥部に配置されている。
【００１９】
図３に示すように、虚像表示装置６は、表示装置６１と、ハーフミラー６２と、表示制御装置６３とを有する。ハーフミラー６２は、半透過性の部材である。ハーフミラー６２は、入射する光の一部を反射すると共に、入射する光の他の一部を透過させる。ハーフミラー６２は、透明な樹脂やガラス等により形成された本体部と、ハーフミラー層とを有する。ハーフミラー層は、本体部の表面に蒸着等により形成された、金属または無機多層薄膜などである。ハーフミラー６２は、奥行き方向Ｘにおける枠部材５と加飾部材２との間に配置されている。ハーフミラー６２は、高さ方向Ｚの上側へ向かうに従って奥行き方向Ｘの背面側へ向かうように傾斜している。ハーフミラー６２は、上記の傾斜姿勢で収容部１００によって保持されている。
【００２０】
表示装置６１は、ハーフミラー６２に向けて画像を投影する。表示装置６１は、表示制御装置６３によって制御される。表示装置６１は、例えば、ＴＦＴ−ＬＣＤ（Thin  Film  Transistor−Liquid  Crystal  Display）等の液晶表示装置である。表示装置６１は、ハーフミラー６２に対して高さ方向Ｚの上側に配置されている。また、表示装置６１は、高さ方向Ｚにおいてハーフミラー６２と対向している。表示装置６１から投影される画像は、矢印Ａ１で示すように、ハーフミラー６２によって奥行き方向Ｘの前面側に向けて反射される。ハーフミラー６２によって反射された画像は、運転席の運転者（アイポイント）から見た場合に、ハーフミラー６２よりも背面側の位置で結像する虚像として視認される。虚像が結像する位置は、例えば、加飾部材２の前面の位置や、加飾部材２の前面よりもわずかに前面側あるいは背面側の位置である。
【００２１】
図３に示すように、光源９は、収容部１００の内部空間における高さ方向Ｚの上部に配置されている。光源９は、加飾部材２よりも高さ方向Ｚの上側に配置されている。つまり、光源９は、加飾部材２に対して上側から光を照射する。表示制御装置６３は、光源９を制御する。表示制御装置６３は、光源９の点灯および消灯の切り換え制御や、光源９が加飾部材２に対して照射する光の光量の制御を実行する。
【００２２】
本実施形態の虚像表示装置６は、図４に示す画像表示領域１０に虚像を表示させる。本実施形態の画像表示領域１０は、第一枠部５１の内側の領域である。つまり、虚像表示装置６は、加飾部材２に重畳させて虚像を表示させることや、加飾部材２よりも内側の領域に重畳させて虚像を表示させることができる。更に、虚像表示装置６は、加飾部材２よりも外側の領域に重畳させて虚像を表示させることもできる。なお、画像表示領域１０は、第一枠部５１の内側の領域に加えて、第二枠部５２と第一枠部５１とによって囲まれる領域や、第三枠部５３と第一枠部５１とによって囲まれる領域を含んでいてもよい。
【００２３】
光源９によって光が照射されることにより、加飾部材２にはコントラストが生じる。図４には、光源９によって光が照射された加飾部材２が示されている。図４に示すように、上方から照らされた光によって、加飾部材２には高輝度部２ａ，２ｂおよび低輝度部２ｃ，２ｃが生じる。高輝度部２ａ，２ｂは、加飾部材２における他の部分よりも明るく見える部分である。高輝度部２ａは、加飾部材２における上部であり、高輝度部２ｂは、加飾部材２における下部である。高輝度部２ａ，２ｂは、例えば、加飾部材２における光源９の光軸上および光軸の近傍に位置する部分である。
【００２４】
低輝度部２ｃは、加飾部材２における高輝度部２ａ，２ｂよりも暗く見える部分である。本実施形態では、低輝度部２ｃ，２ｃは高輝度部２ａ，２ｂの左側および右側にそれぞれ生じる。低輝度部２ｃは、例えば、加飾部材２における光源９の光軸から離れた部分である。加飾部材２においてコントラストが生じることにより、加飾部材２の立体感が強調される。よって、本実施形態の車両用表示装置１は、加飾部材２を含む表示部の意匠性を向上させることができる。
【００２５】
虚像表示装置６は、加飾部材２よりも内側の領域や外側の領域に各種の虚像を表示する。加飾部材２よりも内側の領域には、例えば、指針画像２３、目盛り画像２４、情報画像２５などが表示される。情報画像２５は、外気温や走行距離に関する情報を示す画像である。加飾部材２よりも外側の領域には、例えば、情報画像２６，２７が表示される。情報画像２６は、車両の現在の走行モードを示す画像である。情報画像２７は、車両の現在のシフトポジションを示す画像である。
【００２６】
本実施形態の車両用表示装置１は、以下に説明するように、第一アニメーション表示および第二アニメーション表示を行う。第一アニメーション表示は、光源９が消灯した状態で加飾部材２を模した虚像を加飾部材２と重畳する位置からアニメーションさせるものである。第二アニメーション表示は、光源９が消灯した状態で加飾部材２を模した虚像を加飾部材２と重畳する位置までアニメーションさせるものである。第一アニメーション表示および第二アニメーション表示の各種の例について、以下に図を参照しながら説明する。
【００２７】
虚像表示装置６は、装飾画像の第一アニメーション表示や第二アニメーション表示によって様々な演出を行う。装飾画像は、特定の形状や大きさの画像ではなく、加飾部材２を模した虚像の総称である。言い換えると、装飾画像は、環状部材を模した虚像の総称である。装飾画像の大きさや色、姿勢、輝度などは任意である。
【００２８】
図５および図６には、装飾画像のうち、加飾部材２に重畳して表示される装飾画像３０，３１が示されている。図５には、点灯時の態様の装飾画像３０が示されている。点灯時の態様の装飾画像３０は、光源９が点灯されているときの加飾部材２を模した虚像である。図６には、消灯時の態様の装飾画像３１が示されている。消灯時の態様の装飾画像３１は、光源９が消灯されているときの加飾部材２を模した虚像である。
【００２９】
図５に示す点灯時の態様の装飾画像３０は、加飾部材２に重畳して表示されることで加飾部材２を装飾する。装飾画像３０が加飾部材２に重畳して表示されると、実際には光源９が消灯している場合であっても、運転者には加飾部材２が光源９の光によって照らされているかのように見える。図６に示す消灯時の態様の装飾画像３１は、加飾部材２に重畳して表示されることで加飾部材２を装飾する。
【００３０】
なお、虚像表示装置６は、加飾部材２に装飾画像（例えば、装飾画像３０，３１）を重畳させる場合、車両のアイポイントから見た場合に加飾部材２と重畳するように装飾画像を表示させる。すなわち、虚像表示装置６は、ハーフミラー６２においてアイポイントから見た場合に加飾部材２と重畳する領域に装飾画像を投影する。
【００３１】
加飾部材２に重畳して表示される場合の装飾画像は、円環状の虚像であり、形状および大きさは加飾部材２の形状および大きさに準じている。本実施形態において、加飾部材２に重畳して表示される場合の装飾画像の形状および大きさは、実質的に加飾部材２の形状および大きさと同じである。
【００３２】
図５に示すように、点灯時の態様の装飾画像３０は、高輝度部３０ａ，３０ｂおよび低輝度部３０ｃ，３０ｃを有する。高輝度部３０ａ，３０ｂおよび低輝度部３０ｃは、光源９の光によって照らされた加飾部材２（図４）の高輝度部２ａ，２ｂおよび低輝度部２ｃに対応している。すなわち、高輝度部３０ａ，３０ｂは、加飾部材２の高輝度部２ａ，２ｂに重畳して表示される。低輝度部３０ｃは、加飾部材２の低輝度部２ｃに重畳して表示される。
【００３３】
高輝度部３０ａ，３０ｂは、加飾部材２の高輝度部２ａ，２ｂを模している。すなわち、高輝度部３０ａ，３０ｂの色、輝度の大きさ、輝度の分布等は、高輝度部２ａ，２ｂの色、輝度の大きさ、輝度の分布等に似せてある。低輝度部３０ｃは、加飾部材２の低輝度部２ｃを模している。すなわち、低輝度部３０ｃの色、輝度の大きさ、輝度の分布等は、低輝度部２ｃの色、輝度の大きさ、輝度の分布等に似せてある。
【００３４】
点灯時の態様の装飾画像３０は、例えば、光源９を点灯状態から消灯状態に切り替える場合や、光源９を消灯状態から点灯状態に切り替える場合に表示される。点灯時の態様の装飾画像３０が表示されていることで、光源９が消灯状態に切り替えられたことや点灯状態に切り替えられたことが運転者に気づかれにくい。従って、加飾部材２が光源９によって照らされた状態から、光源９が消灯された状態での装飾画像のアニメーションへの移行が違和感なく進行する。
【００３５】
図６に示すように、消灯時の態様の装飾画像３１は、点灯時の態様の装飾画像３０と比較して輝度のコントラストが小さい。消灯時の態様の装飾画像３１は、例えば、周方向や半径方向に沿って実質的に輝度の変化がない画像であってもよい。言い換えると、消灯時の態様の装飾画像３１は、輝度が均一な画像であってもよい。
【００３６】
本実施形態の車両用表示装置１は、以下に説明するリングスライド演出を行う。リングスライド演出は、運転者による操作入力に応じて実行される。より詳しくは、リングスライド演出は、加飾部材２の色や模様などを選択する選択モードにおいて実行される。虚像表示装置６は、加飾部材２に重畳して表示させる虚像の色や模様を変化させることで、あたかも加飾部材２の色や模様が変化したかのように演出する。虚像表示装置６は、選択モードにおいて、色や模様が異なる装飾画像を画像横方向にスライドさせて加飾部材２に重畳させる。
【００３７】
リングスライド演出の開始時に、表示制御装置６３は、装飾画像３２を加飾部材２に重畳して表示させる。図７には、光源９が消灯し、かつ装飾画像３２が加飾部材２に重畳して表示された状態が示されている。装飾画像３２は、消灯時の態様で表示される。装飾画像３２は、現在選択されている色や模様の装飾画像３２や、規定の色や模様の装飾画像３２である。
【００３８】
装飾画像３２は、車両のアイポイントから見た場合に加飾部材２と重畳するように表示される。本実施形態の表示制御装置６３は、光源９が消灯されて加飾部材２が実質的に視認されない状態から装飾画像３２を表示させる。このときに、表示制御装置６３は、装飾画像３２の輝度を徐々に増加させるフェードインのアニメーションを虚像表示装置６に行わせてもよい。装飾画像３２のフェードインは、運転者にとって、光が当てられた加飾部材２が浮き出るかのように見える。
【００３９】
虚像表示装置６は、運転者による操作入力に応じて、または自動的に、装飾画像３２をスライドアウトさせ、別な装飾画像３３をスライドインさせる。装飾画像３３は、加飾部材２に重畳して表示され、加飾部材２を装飾する虚像である。装飾画像３３の色や模様は、装飾画像３２の色や模様と異なる。虚像表示装置６は、図８に示すように、装飾画像３２を左側にスライドアウトさせ（矢印Ｙ１）、装飾画像３３を右側からスライドインさせる（矢印Ｙ２）。虚像表示装置６は、例えば、装飾画像３２および装飾画像３３を同じ速度で左側に向けてスライドさせる。なお、装飾画像３２および装飾画像３３の移動中は、光源９が消灯されており、加飾部材２は実質的に視認されない。本実施形態では、装飾画像３２のアニメーションが第一アニメーション表示に相当し、装飾画像３３のアニメーションが第二アニメーション表示に相当する。
【００４０】
図８に示すように、装飾画像３２および装飾画像３３と重なる部分では、他の画像２４，２５がマスクされる。これにより、加飾部材２があたかも画像２４，２５よりも前面側を横切って移動しているかのように見える。
【００４１】
虚像表示装置６は、装飾画像３３を加飾部材２と重畳する位置まで移動させると、図９に示すように装飾画像３３の移動を停止させる。虚像表示装置６は、装飾画像３３の移動を停止させてから、装飾画像３３の表示態様を消灯時の態様から点灯時の態様に遷移させる。図１０には、点灯時の態様の装飾画像３３が示されている。点灯時の態様の装飾画像３３は、高輝度部３３ａ，３３ｂおよび低輝度部３３ｃ，３３ｃを有する。表示制御装置６３は、装飾画像３３の態様を点灯時の態様に変化させると、光源９を点灯させる。ライトアップされた加飾部材２を模した装飾画像３３が表示されていることで、光源９が点灯状態に切り替わったことが気づかれにくい。
【００４２】
表示制御装置６３は、運転者によって装飾画像３３を決定する操作入力がなされると、点灯時の態様の装飾画像３３を表示したまま選択モードを終了させる。一方、表示制御装置６３は、装飾画像３３を決定する操作入力がなされない場合や、他の装飾画像の表示を指令する操作入力がなされると、装飾画像の入れ替えを行う。この場合、表示制御装置６３は、光源９を消灯させ、装飾画像３３の表示態様を点灯時の態様（図１０）から消灯時の態様（図９）に遷移させる。表示態様の遷移は、例えば、光源９の消灯後になされる。表示制御装置６３は、表示態様の遷移が完了すると、装飾画像３３をスライドアウトさせ、他の色や模様の装飾画像をスライドインさせる。表示制御装置６３は、運転者がいずれかの装飾画像を決定するまで、装飾画像のスライドインおよびスライドアウトを繰り返す。
【００４３】
選択モードにおいて上記のようなアニメーション表示がなされることで、運転者には、加飾部材２が実際に画像横方向に移動しているかのように見える。すなわち、運転者には、色や模様が異なる加飾部材２が次々と現れるかのように感じられる。このように、本実施形態の車両用表示装置１は、位置が固定された加飾部材２に虚像のアニメーションを組み合わせることによって、加飾部材２の仮想的な動作を実現する。よって、本実施形態の車両用表示装置１は、加飾部材２を移動させる駆動機構を用いることなく意匠性や演出性を向上させることができる。
【００４４】
本実施形態の車両用表示装置１は、以下に説明するように、表示モードの変更時に第一アニメーション表示を行う。本実施形態の車両用表示装置１は、画像表示領域１０に表示する内容が異なる複数の表示モードを有する。表示モードとしては、光源９を点灯した状態で各種の情報を表示する第一の表示モードと、光源９を消灯した状態で各種の情報を表示する第二の表示モードがある。
【００４５】
第一の表示モードでは、加飾部材２が表示領域の境界の枠として利用される。第一の表示モードは、加飾部材２よりも内側に車両の走行速度を示す画像が表示される車速表示モードや、加飾部材２よりも内側に機関の回転速度を示す画像が表示される回転速度表示モードを含む。
【００４６】
第二の表示モードでは、加飾部材２が実質的に視認されない状態で各種の情報が表示される。第二の表示モードは、ナビゲーション表示モードや、マルチメディア表示モード、メニューモードなどが含まれる。第二の表示モードでは、加飾部材２が視認されず、画像表示領域１０が加飾部材２によって分割されない。このため、画像表示領域１０に虚像を表示する際のレイアウトの自由度が向上する。
【００４７】
図１１には、表示モードの変更開始前の装飾画像３４が示されている。図１１の装飾画像３４の表示態様は、点灯時の態様である。装飾画像３４は、高輝度部３４ａ，３４ｂおよび低輝度部３４ｃ，３４ｃを有する。なお、光源９は点灯されている。表示制御装置６３は、運転者による表示モード変更の操作入力がなされると、表示モード変更の演出を開始する。ここで例示する表示モードの変更は、車速表示モードからナビゲーション表示モードへの変更である。
【００４８】
表示制御装置６３は、表示モード変更が指令されると、光源９を消灯させ、装飾画像３４の表示態様を点灯時の態様から消灯時の態様へ遷移させる。表示態様の遷移は、例えば、光源９の消灯と実質的に同時になされてもよく、光源９の消灯後になされてもよい。図１２には、消灯時の態様の装飾画像３４が示されている。消灯時の態様の装飾画像３４において、各部の輝度は、点灯時の態様における高輝度部３４ａ，３４ｂの輝度と同等である。
【００４９】
表示制御装置６３は、表示態様の遷移が完了すると、第一アニメーション表示を実行する。表示制御装置６３は、光源９が消灯した状態で、加飾部材２と重畳する位置から装飾画像３４をアニメーションさせる。ナビゲーション表示モードへ移行するときの第一アニメーション表示は、加飾部材２の傾斜動作を模したアニメーション（以下、単に「傾倒アニメーション」と称する。）である。
【００５０】
表示制御装置６３は、傾倒アニメーションにおいて、加飾部材２が背面側に向けて進みながら背面側に向けて傾斜していく動作を模したアニメーションを表示させる。図１３には、傾倒アニメーションの初期において表示される装飾画像３４が示されている。図１３の装飾画像３４の横幅Ｗ１は、図１２の装飾画像３４の横幅Ｗ０よりも小さい。横幅Ｗ０から横幅Ｗ１への変化により、背面側へ向けての加飾部材２の移動が表現される。また、図１３の装飾画像３４の形状は、加飾部材２が背面側に向けて傾斜した状態を模した形状である。すなわち、図１３の装飾画像３４は、傾斜に伴って加飾部材２の外周面および内周面が視認されるようになった状態を模した画像である。また、図１３では、装飾画像３４において画像上下方向の長さが画像横方向の長さよりも短いことで傾斜姿勢が表現されている。
【００５１】
図１４には、傾倒アニメーションの後期において表示される装飾画像３４が示されている。図１４の装飾画像３４の横幅Ｗ２は、図１３の装飾画像３４の横幅Ｗ１よりも小さい。また、装飾画像３４の内側の領域には、車両を模した虚像である車両画像２１が表示されている。車両画像２１は、斜め後方から見た車両を模した画像である。なお、横幅Ｗ０から横幅Ｗ１および横幅Ｗ２への変化は、仮想空間における視点位置の変化を示すものと考えてもよい。すなわち、横幅の変化は、加飾部材２の位置が運転者と正対する位置から斜め下に見下ろす位置へと移動することを表現したものと考えてもよい。
【００５２】
図１５には、傾倒アニメーションの完了時に表示される装飾画像３４が示されている。画像表示領域１０には、装飾画像３４に加えて、道路画像２２や構造物画像２８が表示される。道路画像２２は、自車両が走行している道路を模した虚像である。構造物画像２８は、道路の周辺のビル等を模した虚像である。
【００５３】
傾倒アニメーションによって、加飾部材２が実際に傾斜動作を行うかのような演出を行うことができる。また、加飾部材２が背面側に向けて移動していくかのように装飾画像３４の幅を変化させることで、奥行き感を演出することができる。また、装飾画像３４に加えて車両画像２１が表示されることで、ナビゲーション画面の立体感を向上させることができる。
【００５４】
第二の表示モードから第一の表示モードへ移行する場合、起立アニメーションがなされる。起立アニメーションは、加飾部材２の起立動作を模したアニメーションである。起立アニメーションでは、傾倒アニメーションとは逆に、装飾画像３４が前面側に進みながら前面側に向けて起立していく動作が表現される（図１５→図１４→図１３→図１２）。虚像表示装置６は、加飾部材２と重畳する位置へ向けて装飾画像３４をアニメーションさせる。つまり、起立アニメーションは、第二アニメーション表示に相当する。装飾画像３４の全体が加飾部材２と重畳すると、起立アニメーションが完了する。表示制御装置６３は、起立アニメーションが完了すると、光源９を点灯させ、装飾画像３４の表示態様を点灯時の態様に遷移させる。表示態様の遷移は、例えば、光源９の点灯と実質的に同時になされてもよく、光源９の点灯後になされてもよい。
【００５５】
本実施形態の車両用表示装置１は、以下に説明する消失／出現アニメーションを行う。消失／出現アニメーションは、例えば、車両用表示装置１のオープニング時になされる。消失アニメーションおよび出現アニメーションは、加飾部材２が背面側に向けて進んでいく動作を模したアニメーションである。消失アニメーションは、第一アニメーション表示である。一方、出現アニメーションは、第二アニメーション表示である。
【００５６】
図１６には、消失アニメーションが開始される前の装飾画像３５が示されている。図１６には、光源９が点灯した状態が示されている。装飾画像３５は、加飾部材２に重畳して表示されている。装飾画像３５の表示態様は、点灯時の態様である。装飾画像３５は、高輝度部３５ａ，３５ｂおよび低輝度部３５ｃ，３５ｃを有する。加飾部材２よりも内側の領域には、情報画像２９が表示されている。情報画像２９は、例えば、車両の走行速度を示す文字画像である。
【００５７】
表示制御装置６３は、加飾部材２が背面側に向けて遠ざかっていく動作を模したアニメーションを表示させる。より具体的には、表示制御装置６３は、消失点に向けて収束させるように装飾画像３５の大きさおよび位置を変化させていく。消失／出現アニメーションにおける消失点ＶＰは、例えば、加飾部材２の中心軸である。消失点ＶＰを加飾部材２の中心軸とした場合の消失アニメーションでは、装飾画像３５の中心位置は変化せず、装飾画像３５が縮小していく。
【００５８】
表示制御装置６３は、消失アニメーションを開始するときに、光源９を消灯させる。光源９は、装飾画像３５の縮小アニメーションが開始する前に消灯されても、縮小アニメーションの開始と同時に消灯されても、縮小アニメーションの開始直後に消灯されてもよい。本実施形態では、縮小アニメーションの開始と実質的に同時に光源９が消灯される。
【００５９】
表示制御装置６３は、光源９を消灯させると共に、装飾画像３５の縮小アニメーションを表示させる。縮小アニメーションされる装飾画像３５の表示態様は、点灯時の態様である。すなわち、高輝度部３５ａ，３５ｂおよび低輝度部３５ｃ，３５ｃを有する装飾画像３５の縮小アニメーションが表示される。図１７には、消失アニメーションの中期における装飾画像３５が示されている。図１７に示すように、装飾画像３５は、消失点ＶＰに向けて遠ざかっていくように縮小表示されている。更に、情報画像２９も装飾画像３５と同じ縮小率で縮小されて表示されている。また、装飾画像３５および情報画像２９は、縮小するに従って輝度が低くされる。すなわち、表示制御装置６３は、矢印Ｙ３で示すように装飾画像３５および情報画像２９を縮小させながら装飾画像３５および情報画像２９をフェードアウトさせる。装飾画像３５および情報画像２９がフェードアウトすると、消失アニメーションが完了する。
【００６０】
表示制御装置６３は、消失アニメーションが完了すると、出現アニメーションを開始する。出現アニメーションにおいて、表示制御装置６３は、加飾部材２の外側に装飾画像３５をフェードイン表示させる。図１８には、フェードイン表示された装飾画像３５が示されている。装飾画像３５は、消失点ＶＰを中心とする位置にフェードイン表示される。フェードイン表示される装飾画像３５は、加飾部材２よりも大きい。また、フェードイン表示される装飾画像３５の輝度は、加飾部材２に重畳して表示されるときの装飾画像３５（図１６）の輝度よりも低い。
【００６１】
表示制御装置６３は、矢印Ｙ４で示すように装飾画像３５を縮小させながら、装飾画像３５の輝度を増加させていく。表示制御装置６３は、装飾画像３５の全体が加飾部材２と重畳すると、装飾画像３５の縮小アニメーションを終了し、光源９を点灯させる。光源９が点灯されるタイミングは、縮小アニメーションの終了と実質的に同時であっても、縮小アニメーションの終了後であってもよい。光源９が点灯されると、装飾画像３５の表示が終了され、出現アニメーションが完了する。消失／出現アニメーションは、繰り返し表示されてもよい。すなわち、出現アニメーションが完了した後に、再度消失アニメーションおよび出現アニメーションが実行されてもよい。
【００６２】
本実施形態の車両用表示装置１は、以下に説明する回転アニメーションを行う。回転アニメーションは、例えば、走行モードの変更に応じて加飾部材２の色や模様を変化させるときになされる。回転アニメーションは、加飾部材２の回転動作を模したアニメーションである。回転アニメーションは、第一アニメーション表示および第二アニメーション表示が連続する一連のアニメーションである。
【００６３】
図１９には、回転アニメーションが開始される前の装飾画像３６が示されている。回転アニメーションは、例えば、図１９に示すように画像表示領域１０に文字等が表示されていない状態で実行される。図１９には、光源９が点灯した状態が示されている。装飾画像３６は、加飾部材２に重畳して表示されている。装飾画像３６の表示態様は、点灯時の態様である。装飾画像３６は、高輝度部３６ａ，３６ｂおよび低輝度部３６ｃ，３６ｃを有する。
【００６４】
表示制御装置６３は、加飾部材２が回転する動作を模したアニメーションを表示させる。より具体的には、回転アニメーションは、高さ方向Ｚの軸を回転中心として加飾部材２が回転している動作を模したアニメーションである。
【００６５】
表示制御装置６３は、回転アニメーションを開始するときに、装飾画像３６の表示態様を図２０の消灯時の態様に遷移させる。消灯時の態様の装飾画像３６は、全体の輝度が高輝度部３６ａ，３６ｂの輝度と同様の虚像である。つまり、消灯時の態様の装飾画像３６は、前面側から全体的に光が照射されている加飾部材２を模した虚像である。表示制御装置６３は、装飾画像３６の表示態様が消灯時の態様に変化すると、装飾画像３６の回転アニメーションを開始する。表示制御装置６３は、回転アニメーションを開始するまでに光源９を消灯させる。光源９の消灯タイミングは、例えば、表示態様の変化が開始される前である。ただし、光源９は、表示態様が変化する途中に消灯されても、表示態様が消灯時の態様に変化した後に消灯されてもよい。
【００６６】
表示制御装置６３は、図２１に矢印Ｙ５で示す回転方向の回転アニメーションを表示させる。本実施形態の回転アニメーションでは、装飾画像３６を半回転させる間に、装飾画像３６のサイズを縮小させる。すなわち、回転アニメーションにおいて、加飾部材２が回転しながら背面側に移動する動作が表現される。装飾画像３６が半回転すると、図２２に示すように装飾画像３６の回転が一時的に停止される。この状態は、裏面３６Ｒを運転者側に向けて停止している加飾部材２を模した虚像である。本実施形態では、装飾画像３６の回転が一時的に停止されるまでが第一アニメーション表示に相当する。
【００６７】
表示制御装置６３は、一時的に停止した装飾画像３６の回転を再開させる。図２３には、回転を再開した後の装飾画像３６が示されている。回転を再開した装飾画像３６では、表面３６Ｆ側の色や模様が回転アニメーションの開始時の色や模様と異なっている。表示制御装置６３は、装飾画像３６を回転させながら徐々に拡大させて加飾部材２に重畳させていく。表示制御装置６３は、装飾画像３６の全体が加飾部材２と重畳すると、回転アニメーションを終了する。図２４には、加飾部材２と重畳して表示された装飾画像３６が示されている。本実施形態では、装飾画像３６の回転が再開してから装飾画像３６が加飾部材２に重畳するまでが第二アニメーション表示に相当する。
【００６８】
図２５には、加飾部材２に重畳して表示された点灯時の態様の装飾画像３６が示されている。表示制御装置６３は、回転アニメーションが終了すると、光源９を点灯させる。光源９の点灯タイミングは、例えば、装飾画像３６の表示態様を消灯時の態様から点灯時の態様に遷移させた後である。ただし、光源９は、表示制御装置６３の表示態様が消灯時の態様である間に点灯されても、表示態様が変化する間に点灯されてもよい。上記の回転アニメーションによれば、実際の加飾部材２が回転しながら瞬時に色を変化させているかのような演出を行うことができる。
【００６９】
以上説明したように、本実施形態の車両用表示装置１は、加飾部材２と、光源９と、虚像表示装置６と、を有する。加飾部材２は、画像表示領域１０に配置された環状の部材である。光源９は、加飾部材２に対して光を照射する。虚像表示装置６は、画像表示領域１０に虚像を表示させる。
【００７０】
虚像表示装置６は、第一アニメーション表示、および第二アニメーション表示の少なくとも一方のアニメーション表示を行う。第一アニメーション表示は、光源９が消灯した状態で加飾部材２を模した虚像を加飾部材２と重畳する位置からアニメーションさせるものである。第二アニメーション表示は、光源９が消灯した状態で加飾部材２を模した虚像を加飾部材２と重畳する位置までアニメーションさせるものである。
【００７１】
第一アニメーション表示および第二アニメーション表示は、加飾部材２の移動、加飾部材２の変形、加飾部材２の姿勢の変化など、実際の加飾部材２では実現できない動作を仮想的に実現させる。第一アニメーション表示では、アニメーションの開始位置が加飾部材２と重畳する位置である。従って、実際の加飾部材２が動作を開始するように見せることができる。第二アニメーション表示では、アニメーションの停止位置が加飾部材２と重畳する位置である。従って、加飾部材２が本来の位置で動作を停止するように見せることができる。
【００７２】
また、第一アニメーション表示および第二アニメーション表示は、加飾部材２の色や模様などを変化させることができる。仮に加飾部材２が可動式であったとしても、加飾部材２の色や模様を変化させようとすると複雑な構成を必要とする。本実施形態では、虚像によって加飾部材２の動作を表現することで、実際の加飾部材２では実現できない装飾を仮想的に実現させる。従って、本実施形態の車両用表示装置１は、多彩な演出を可能とする。
【００７３】
本実施形態の虚像表示装置６は、第一アニメーション表示を行う場合、光源９が消灯されるよりも前に加飾部材２を模した装飾画像（虚像）を加飾部材２と重畳して表示させる。よって、実物の加飾部材２から装飾画像によるアニメーションへの繋がりが違和感なくスムーズとなる。
【００７４】
本実施形態では、第一アニメーション表示が行われる場合に、光源９が消灯されるよりも前に表示される装飾画像（虚像）は、光源９から照射される光によるコントラストが生じた加飾部材２を模した虚像である。例えば、図５に示す装飾画像３０のように、高輝度部３０ａ，３０ｂは、加飾部材２の高輝度部２ａ，２ｂ（図４）に対応しており、低輝度部３０ｃ，３０ｃは、加飾部材２の低輝度部２ｃ，２ｃ（図４）に対応している。このようにコントラストが生じた加飾部材２を模した虚像が加飾部材２に重畳して表示される。よって、光源９の点灯状態から消灯状態への切り換えが気づかれにくい。その結果、実物の加飾部材２から装飾画像によるアニメーションへの繋がりが違和感なくスムーズとなる。
【００７５】
本実施形態の虚像表示装置６は、第二アニメーション表示を行う場合、少なくとも光源９が点灯されるまで加飾部材２を模した装飾画像（虚像）を加飾部材２と重畳して表示させる。よって、装飾画像によるアニメーションから実物の加飾部材２への繋がりが違和感なくスムーズとなる。
【００７６】
本実施形態の虚像表示装置６は、第二アニメーション表示を行う場合、光源９が点灯されるよりも前に、光源９から照射される光によるコントラストが生じた加飾部材２を模した装飾画像（虚像）を加飾部材２と重畳して表示させる。例えば、上記のリングスライド演出において、虚像表示装置６は、光源９が点灯されるよりも前に、装飾画像３３の表示態様を消灯時の態様（図９）から点灯時の態様（図１０）に遷移させる。よって、光源９の消灯状態から点灯状態への切り換えが気づかれにくい。
【００７７】
［実施形態の変形例］
実施形態の変形例について説明する。第一アニメーション表示や第二アニメーション表示について、実施形態の内容はあくまでも例示である。従って、表示制御装置６３は、例示した以外の様々なアニメーションを行ってもよい。例えば、リングスライド演出において、スライド方向は左側から右側へ向かう方向であってもよい。また、スライド方向は、画像上下方向であってもよい。
【００７８】
傾倒アニメーションおよび起立アニメーションは、背面側へ向けての加飾部材２の移動や仮想空間における視点位置の変化を伴わないものであってもよい。傾倒アニメーションおよび起立アニメーションは、装飾画像３４の色や模様の変化を含んでもよい。
【００７９】
消失／出現アニメーションにおいて、消失アニメーションと出現アニメーションが一部分重なっていてもよい。例えば、消失アニメーションにおいて装飾画像３５が完全に消える前に、出現アニメーションが開始されてもよい。消失／出現アニメーションは、装飾画像３５の色や模様の変化を含んでもよい。
【００８０】
回転アニメーションにおける回転方向は、図２１に矢印Ｙ５で示す方向とは逆方向であってもよい。また、第一アニメーション表示における回転方向と第二アニメーション表示における回転方向とが逆方向であってもよい。
【００８１】
光源９の数は、一つには限定されない。光源９が複数配置される場合、点灯される光源９の組み合わせに応じて点灯時の態様が複数作成されてもよい。例えば、車両用表示装置１が二つの光源９を有しているとする。この場合、装飾画像は、第一の光源９のみが点灯している場合の表示態様、第二の光源９のみが点灯している場合の表示態様、および二つの光源９が共に点灯している場合の表示態様の三つの態様を有してもよい。
【００８２】
加飾部材２の形状は、例示したものには限定されない。例えば、加飾部材２の形状は、円環状の一部が欠けた形状、言い換えるとＣ字形状やＵ字形状のような形状であってもよい。装飾画像の形状は、加飾部材２の形状に応じたＣ字形状やＵ字形状のような形状とされてもよい。
【００８３】
加飾部材２の数は、複数であってもよい。例えば、画像横方向に並んで複数の加飾部材２が配置されてもよい。この場合、第一アニメーション表示および第二アニメーション表示は、一つの加飾部材２から他の加飾部材２へ移動するアニメーションとされてもよい。例えば、走行モードの変更に応じて、光源９によって照射される加飾部材２、言い換えるとアクティブな加飾部材２が切り替わるとする。この場合、非アクティブとなる加飾部材２から、アクティブとなる加飾部材２に装飾画像を移動させるアニメーション表示がなされてもよい。
【００８４】
実施形態では加飾部材２の位置が固定されていたが、これに代えて、加飾部材２は可動式とされてもよい。例えば、加飾部材２は、画像横方向に沿って移動可能とされてもよく、画像縦方向に沿って移動可能とされてもよい。加飾部材２が可動式である場合、第一アニメーション表示や第二アニメーション表示は、加飾部材２の可能な動作と異なる動作を模したアニメーションとされてもよい。例えば、加飾部材２が画像横方向に沿って移動可能である場合、第一アニメーション表示や第二アニメーション表示は、画像縦方向のアニメーション、画像奥行き方向のアニメーション、傾倒／起立アニメーション、回転アニメーション等を含んでもよい。
【００８５】
上記の実施形態および変形例に開示された内容は、適宜組み合わせて実行することができる。
【符号の説明】
【００８６】
１  車両用表示装置
２  加飾部材
３  左側メータ枠
４  右側メータ枠
５  枠部材
６  虚像表示装置
９  光源
１０  画像表示領域
２１  車両画像
２２  道路画像
２３  指針画像
２４  目盛り画像
２５，２６，２７，２９  情報画像
２８  構造物画像
３０  点灯時の態様の装飾画像
３１  消灯時の態様の装飾画像
３２，３３，３４，３５，３６  装飾画像
３０ａ，３０ｂ，３３ａ，３３ｂ，３４ａ，３４ｂ，３５ａ，３５ｂ  高輝度部
３０ｃ，３３ｃ，３４ｃ，３５ｃ  低輝度部
３６Ｆ  表面
３６Ｒ  裏面
５１  第一枠部
５２  第二枠部
５３  第三枠部
６１  表示装置
６２  ハーフミラー
６３  表示制御装置
１００  収容部
１０１  開口部
ＶＰ  消失点
Ｘ  奥行き方向
Ｙ  幅方向
Ｚ  高さ方向
【図１】
2018205202.tif 000003
【図２】
2018205202.tif 000004
【図３】
2018205202.tif 000005
【図４】
2018205202.tif 000006
【図５】
2018205202.tif 000007
【図６】
2018205202.tif 000008
【図７】
2018205202.tif 000009
【図８】
2018205202.tif 000010
【図９】
2018205202.tif 000011
【図１０】
2018205202.tif 000012
【図１１】
2018205202.tif 000013
【図１２】
2018205202.tif 000014
【図１３】
2018205202.tif 000015
【図１４】
2018205202.tif 000016
【図１５】
2018205202.tif 000017
【図１６】
2018205202.tif 000018
【図１７】
2018205202.tif 000019
【図１８】
2018205202.tif 000020
【図１９】
2018205202.tif 000021
【図２０】
2018205202.tif 000022
【図２１】
2018205202.tif 000023
【図２２】
2018205202.tif 000024
【図２３】
2018205202.tif 000025
【図２４】
2018205202.tif 000026
【図２５】
2018205202.tif 000027